(57)【要約】【課題】アミン臭が少なく、また、濁りや相分離が無く安定性に優れ、しかも洗浄性能にも優れた液体洗浄剤組成物を提供すること。【解決手段】無水物の化学組成が以下の一般式：                              R2O・xSiO2（式中、Rはテトラアルキルアンモニウムカチオンとなる分子を示し、ｘは0.5≦x≦3を満たす）で表されるテトラアルキルアンモニウムシリケートを、SiO2換算で0.1重量%以上2重量％未満含有してなる液体洗浄剤組成物。【選択図】なし【特許請求の範囲】
【請求項１】
無水物の化学組成が以下の一般式：
R2O・xSiO2
（式中、Rはテトラアルキルアンモニウムカチオンとなる分子を示し、ｘは0.5≦x≦3を満たす）で表されるテトラアルキルアンモニウムシリケートを、SiO2換算で0.1重量%以上2重量％未満含有してなる液体洗浄剤組成物。
【発明の詳細な説明】
【技術分野】
【０００１】
本発明は、液体洗浄剤組成物に関する。好ましくは衣料用液体洗浄剤組成物に関する。
【背景技術】
【０００２】
衣料用液体洗浄剤組成物にはアルカリ剤として、モノエタノールアミンなどの有機アルカリ剤が一般的に使用されている。しかし、これらの有機アルカリ剤は、徐々に分解され、悪臭（アミン臭）や着色の原因となってしまう。また、珪酸ナトリウムや炭酸ナトリウムなどの無機アルカリ剤は、臭いについては問題無いが、界面活性剤などの有機化合物との親和性に劣り、液体洗浄剤組成物に配合した場合、濁りや相分離が生じるといった問題がある。
【０００３】
一方、ナトリウムなどの金属カチオンではなく、テトラメチルアンモニウムなどのテトラアルキルアンモニウム（以下、TAAと略す）カチオンをカウンターカチオンとするシリケート（以下、TAA-Siと略す）が知られている（例えば、非特許文献１参照）。また、TAA-Siを液体洗浄剤に用いた例が知られており（特許文献１参照）、該文献の実施例には、TAA-Siとして１モルのQ2O（ここでQはテトラアンモニウムカチオンとなる特定の分子）あたり3.3および4.0モルのSiO2を含有している有機アンモニウムシリケートを、SiO2換算で1.5〜4.77重量％含む液体洗浄剤が開示されている。しかしながら、該文献によればかかる有機アンモニウムシリケートをSiO2換算で2重量％以下含む液体洗浄剤では、安定性が劣り、保存において沈殿又は曇が生じることが記載されている。
【非特許文献１】V.D.Hoebbel, W. Wieker, Z. Anorg. Allg. Chem., 384, 43 (1971)
【特許文献１】特表平４−５０６６８０号公報
【発明の開示】
【発明が解決しようとする課題】
【０００４】
本発明の課題は、アミン臭が少なく、また、濁りや相分離が無く安定性に優れ、しかも洗浄性能にも優れた液体洗浄剤組成物を提供することである。
【課題を解決するための手段】
【０００５】
すなわち、本発明は、
〔１〕  無水物の化学組成が以下の一般式：
R2O・xSiO2
（式中、Rはテトラアルキルアンモニウムカチオンとなる分子を示し、ｘは0.5≦x≦3を満たす）で表されるテトラアルキルアンモニウムシリケートを、SiO2換算で0.1重量%以上2重量％未満含有してなる液体洗浄剤組成物、
に関する。
【発明の効果】
【０００６】
本発明により、アミン臭が少なく、また、濁りや相分離が無く、透明性に優れるとともに洗浄性能にも優れた液体洗浄剤組成物が提供される。
【発明を実施するための最良の形態】
【０００７】
本発明の液体洗浄剤組成物は、無機アルカリ剤として、前記特定のTAA-Siを含有してなることを１つの大きな特徴とする。本発明の液体洗浄剤組成物は、該TAA-Siにより高いアルカリ能が発現され、優れた洗浄性能を示すとともに、TAAカチオンといった有機カチオンの作用により、該TAA-Siと界面活性剤などの有機化合物との親和性が高まり、濁りや相分離が生ずることなく透明で非常に安定である。また、有機アルカリ剤であるモノエタノールアミンに比べ、アミン臭の発生が少ない。さらに、本発明の液体洗浄剤組成物のTAA-Si含有量はSiO2換算で0.1重量%以上2重量％未満であり、液体洗浄剤組成物の安定性の向上に大きく寄与する。
【０００８】
本発明の液体洗浄剤組成物に含有されるTAA-Siは、その無水物が前記の通りの化学組成を有しており、xとしては、TAA-Siの性能及び安定性の向上の観点から、好ましくは1≦x≦3、より好ましくは1.5≦x≦2.5である。ここで、xの値は、通常のNとSiの組成分析値のモル比より求めることができる。
【０００９】
本発明の液体洗浄剤組成物に含有されるTAA-Siは、特に限定するものではないが、公知（例えば、非特許文献１参照）の方法により製造することができる。本発明の液体洗浄剤組成物に含有されるTAA-Siは、例えば、水酸化テトラアルキルアンモニウムとSi源を溶液中で反応させることにより好適に製造することができる。TAA-Si製造における原料混合の順序は特に限定するものではなく、Si源を水酸化テトラアルキルアンモニウム溶液に添加しても良く、Si源に水酸化テトラアルキルアンモニウム溶液を添加しても良い。TAA-Si製造における反応温度は、特に限定するものではないが、TAA-Siの性能、安定性及び生産性の向上の観点から、反応温度は0〜100℃が好ましく、10℃〜80℃がより好ましく、20℃〜60℃が更に好ましい。また、TAA-Si製造における反応時間は、特に限定するものではなく、反応温度にも依存するが、TAA-Siの性能、安定性及び生産性の向上の観点から、反応時間は0〜240時間が好ましく、1〜48時間がより好ましく、2〜24時間が更に好ましい。得られたTAA-Si溶液をそのままアルカリ剤として用いても良く、また濃縮した溶液を用いても良く、更に乾燥若しくは結晶化して粉末又は結晶状態で用いても良い。
【００１０】
TAA-Si製造の際に使用される溶媒としては、水、有機溶媒、水−有機混合溶媒などを用いることができるが、TAA-Siの性能及び安定性の向上、並びにコスト削減の観点から水が好ましい。TAA-Si製造に使用される水酸化テトラアルキルアンモニウムとしては、特に限定するものではないが、例えば、炭素数１〜６の、直鎖又は分岐鎖、好ましくは直鎖のアルキル基を有する水酸化テトラアルキルアンモニウムが挙げられる。TAA-Siの性能及び安定性の向上、並びにコスト削減の観点から、水酸化テトラメチルアンモニウム、水酸化テトラエチルアンモニウム、水酸化テトラノルマルプロピルアンモニウム、水酸化テトラノルマルブチルアンモニウム、水酸化テトラノルマルペンチルアンモニウム、水酸化テトラノルマルヘキシルアンモニウム、水酸化ベンジルトリメチルアンモニウムなどが好適であり、コスト削減の観点から水酸化テトラメチルアンモニウムがより好適である。TAA-Si製造に使用されるSi源としては、特に限定するものではなく、シリカ粉末、シリカコロイド、アルカリ金属シリケート、テトラエチルオルトシリケートなど種々のSi化合物を用いることができるが、TAA-Siの性能及び安定性の向上、並びにコスト削減、製造プロセスの簡易性の観点から、シリカ粉末やシリカコロイドが好ましい。
【００１１】
水酸化テトラアルキルアンモニウム及びSi源はいずれも、それぞれ単独で、又は２種以上を混合して用いることができる。
【００１２】
TAA-Si製造における水酸化テトラアルキルアンモニウムとSi源の仕込み組成は、特に限定するものではないが、TAA-Siの性能及び安定性の向上、並びにコスト削減の観点から、Si源をSiO2で表し、水酸化テトラアルキルアンモニウム１モルに対するSiO2のモル比をｘ’とした場合、好ましくは1≦ｘ’≦3、より好ましくは1.5≦ｘ’≦2.5である。また、TAA-Siの性能及び安定性を低下させない範囲であれば、上記化学組成に含まれる元素以外の元素が含まれていてもよい。但し、周期律表IA族に属するアルカリ金属（M）が多く含まれると、TAA-Siの安定性を著しく低下させるため、アルカリ金属の含有量（モル比）は、アルカリ金属をM2Oで表した場合、M2O/SiO2≦1が好ましく、M2O/SiO2≦0.1がより好ましく、M2O/SiO2≦0.01が更に好ましく、M2O/SiO2=0が特に好ましい。TAA-Si製造の際の仕込み濃度は、特に限定するものではないが、TAA-Siの性能及び安定性の向上、並びにコスト削減、生産性の向上の観点から、Si源の濃度として表した場合、Si源をSiO2に換算した場合の濃度（SiO2換算濃度）で0.1〜50重量%が好ましく、1〜40重量%がより好ましく、3〜20重量%が更に好ましい。
【００１３】
以上のようにして本発明の液体洗浄剤組成物に使用されるTAA-Siが得られる。TAAとしては、特に限定されるものではないが、TAA-Siの性能及び安定性の向上、並びにコスト削減の観点から、水酸化テトラアルキルアンモニウムとして具体的に例示した前記化合物に由来するものが好適であり、コスト削減の観点から、水酸化テトラメチルアンモニウムに由来するものがより好適である。また、TAAカチオンとしては、特に限定されるものではないが、同様の観点より、テトラメチルアンモニウムカチオン、テトラエチルアンモニウムカチオン、テトラノルマルプロピルアンモニウムカチオン、テトラノルマルブチルアンモニウムカチオン、テトラノルマルペンチルアンモニウムカチオン、テトラノルマルヘキシルアンモニウムカチオン、ベンジルトリメチルアンモニウムカチオンが好適であり、テトラメチルアンモニウムカチオンがより好適である。
【００１４】
また、本発明の液体洗浄剤組成物に使用されるTAA-Siとしては、液体洗浄剤組成物に配合する前のTAA-Si溶液、又はそれを乾燥等して得られる固体において測定された29Si-NMRスペクトルにおいて、全シグナルの積分値（Aで表わす）に対する、化学シフト-94〜-102 ppm（TMS基準）にピークを持つシグナルの積分値（Pで表わす）の割合（P／A）が50%以上であるものが好ましく、60%以上であるものがより好ましく、80%以上であるものが更に好ましく、100%であるものが特に好ましい。29Si-NMRスペクトルにおいて化学シフト-94〜-102 ppmにピークを持つシグナルは、Si原子に結合している４つの酸素原子のうち３つの酸素原子が更に隣のSi原子と結合している原子配列にあるSi原子（Q3）に帰属される。前記割合が大きいことは、Q3のSi原子が多く、二重四員環のオリゴマー構造の割合が増えることを示している。Q3はSi原子に結合している４つの酸素原子に更に隣のSi原子と結合している数が0個、１個及び２個であるSi原子（それぞれQ0、Q1およびQ2と表す）に比べて耐酸性があると考えられる。また、４つの酸素原子すべてにSi原子が結合してるSi原子(Q4)よりも溶媒への分散性に優れる。よって、P／Aの値が50%以上であるTAA-Siは優れたアルカリ能と溶媒への分散性を発揮し、かかるTAA-Siを用いれば、液体洗浄剤組成物の洗浄性能、透明性、安定性が向上するものと推定される。なお、TAA-SiのP／Aの値は、例えば、前記TAA-Siの製造例に従ってTAA-Siを調製することで容易に好適な範囲とすることができる。
【００１５】
本発明の液体洗浄剤組成物に使用されるTAA-Siの形態としては固体、液体のいずれでも良い。なお、固体としては、結晶状態、粉末状態のいずれでも良い。また、液体としては、湿潤状態、分散状態、溶液状態のいずれでも良い。分散状態又は溶液状態にある場合のTAA-Siが分散又は溶解している溶媒としては、水、有機溶媒、水−有機溶媒混合溶液などが挙げられるが、使いやすさやコスト削減の観点から、水が好ましい。
【００１６】
本発明の液体洗浄剤組成物中のTAA-Siの含有量は、TAA-Siに含有されるSiをSiO2に換算した場合の濃度（SiO2換算濃度）で、0.1重量%以上2重量％未満である。0.1重量%未満であるとアルカリ能が不充分であり、2重量％以上であると、液体洗浄剤組成物が濁りや相分離を生じ安定性が低下する傾向がある。液体洗浄剤組成物の洗浄性能及び安定性の向上の観点から、TAA-Siの含有量としては、0.2〜1.8重量%が好ましく、0.3〜1.5重量%がより好ましく、0.3〜1重量%が更に好ましい。
【００１７】
本発明の液体洗浄剤組成物には、洗浄剤に使用される任意の界面活性剤を用いることができる。界面活性剤としては、非イオン性、アニオン性、カチオン性、双性の界面活性剤などが例示される。特に限定するものではないが、洗浄性能及び水への溶解性の観点から、非イオン性界面活性剤が好ましい。
【００１８】
具体的には、非イオン性界面活性剤としては、日本国特許庁公報「周知・慣用技術集（衣料用粉末洗剤）の３章の１」に記載の公知の非イオン性界面活性剤を用いることができる。その他の非イオン性界面活性剤として、ポリオキシエチレンアルキルフェニルエーテル類、ポリオキシエチレンアルキルアミン類、ショ糖脂肪酸エステル類、脂肪酸グリセリンモノエステル類、高級脂肪酸アルカノールアミド類、ポリオキシエチレン高級脂肪酸アルカノールアミド類、アミンオキサイド類、アルキルグリコシド類、アルキルグリセリルエーテル類、及びN-アルキルグルコンアミド類なども使用することができる。
【００１９】
アニオン性界面活性剤としては、例えば、日本国特許庁公報「周知・慣用技術集（衣料用粉末洗剤）の３章の１」に記載の公知のアニオン性界面活性剤を用いることができる。これらのアニオン性界面活性剤の対イオンとしては、例えば、ナトリウム、カリウム、マグネシウム、カルシウム、エタノールアミン類などのアミンがプロトン化された陽イオン、第４級アンモニウム塩及びそれらの混合物からなる群から選択される。
【００２０】
カチオン性界面活性剤としては、例えば、日本国特許庁公報「周知・慣用技術集（衣料用粉末洗剤）の３章の１」に記載の公知のカチオン性界面活性剤を用いることができる。これらのカチオン性界面活性剤の対イオンとしては、特に限定するものではないが、ハロゲン化物イオンが好ましく、Cl-、Br-がより好ましい。
【００２１】
双性界面活性剤としては、例えば、日本国特許庁公報「周知・慣用技術集（衣料用粉末洗剤）の３章の１」に記載の公知の双性界面活性剤を用いることができる。
【００２２】
上記界面活性剤は単独で、又は２種以上を混合して用いることができる。液体洗浄剤組成物への界面活性剤の配合量は、良好な洗浄性を発揮させる観点から、１重量%以上が好ましく、5重量%以上がより好ましく、10重量%以上が更に好ましい。また、コスト削減、製造プロセスの簡易性、良好なすすぎ性の確保の観点から、90重量%以下が好ましく、70重量%以下がより好ましく、60重量%以下が更に好ましい。すなわち、界面活性剤の配合量としては、好ましくは1〜90重量％、より好ましくは5〜70重量％、更に好ましくは10〜60重量％である。
【００２３】
本発明の液体洗浄剤組成物には、更に、（１）エタノール等のアルコール類、エチレングリコール及びプロピレングリコール等のグリコール類、パラトルエンスルホン酸、安息香酸塩（防腐剤としての効果もある）並びに尿素等の減粘剤及び可溶化剤を、例えば、配合量0.01〜30重量%の範囲で、（２）ポリオキシアルキレンベンジルエーテル、ポリオキシエチレンフェニルエーテル等の相調整剤及び洗浄力向上剤を、例えば、配合量0.01〜30重量%の範囲で、（３）平均分子量5000以上のポリエチレングリコール、ナフタレンスルフォン酸塩ホルマリン縮合物等の再汚染防止剤及び分散剤を、例えば、配合量0.01〜10重量%の範囲で、（４）ポリビニルピロリドン等の色移り防止剤を、例えば、配合量0.01〜10重量%の範囲で、（５）過炭酸ナトリウム又は過硼酸ナトリウム等の漂白剤を、例えば、配合量0.01〜10重量%の範囲で、（６）テトラアセチルエチレンジアミン、特開平６−３１６７００号公報の一般式（Ｉ−２）〜（Ｉ−７）で示される漂白活性化剤等の漂白活性化剤を、例えば、配合量0.01〜10重量%の範囲で、（７）チノパールＣＢＳ−Ｘ（商品名、チバスペシャリティーケミカルス社製）やホワイテックスＳＡ（商品名、住友化学社製）等の蛍光染料を、例えば、配合量0.001〜1重量%の範囲で、（８）特開平１０−６０４８０号公報の請求項１記載のシリコーン等の柔軟基剤を、例えば、配合量0.1〜2重量%の範囲で、（９）シリカ等の消泡剤を、例えば、配合量0.01〜2重量%の範囲で、（１０）ブチルヒドロキシトルエン、ジスチレン化クレゾール、亜硫酸ナトリウム及び亜硫酸水素ナトリウム等の酸化防止剤を、例えば、配合量0.01〜2重量%の範囲で、また、（１１）青味付け剤、（１２）セルラーゼ、アミラーゼ、ペクチナーゼ、プロテアーゼ、リパーゼ等の酵素、（１３）塩化カルシウム、硫酸カルシウム、ギ酸、硼酸（ホウ素化合物）等の酵素安定化剤、（１４）香料、（１５）抗菌防腐剤、（１６）着色剤等を所望の配合量範囲で、適宜配合することができる。
【００２４】
本発明の液体洗浄剤組成物は、以上の各成分を水と共に公知の方法に従って適宜混合することで調製することができる。該組成物のｐHとしては、良好な洗浄性能、安定性、使用性、安全性を得る観点から、10.5〜11が好適である。本発明の液体洗浄剤組成物は、例えば、衣料用、住居用、半導体基盤洗浄用等の洗剤として好適に使用されるが、中でも衣料用の洗剤としてより好適に使用される。該組成物の使用方法には特段の制限はなく、公知の液体洗剤と同様にして用いることができる。
【実施例】
【００２５】
以下の実施例等における、TAA-SiのNMR測定方法、液体洗浄剤組成物の外観評価方法、液体洗浄剤組成物のアミン臭の評価方法、液体洗浄剤組成物のpH測定方法、及び液体洗浄剤組成物の洗浄性能の評価方法をまとめて示す。
【００２６】
（TAA-SiのNMR測定）
NMRスペクトロメーター（バリアン社製、INOVA UNITY 300、固体試料の場合のスピン速度5 kHz）により、テトラメチルシラン（TMS）を外部標準としてシリケートの29Si-NMR測定を行った。得られた29Si NMRスペクトルのピーク分割を行い、全シグナルAの積分値に対する、化学シフト-94〜-102 ppm（TMS基準)にピークを持つシグナルPの積分値の割合（シグナルP／全シグナルA）を求めた。
【００２７】
（液体洗浄剤組成物の外観評価）
表１に示す組成で各成分を室温（25℃）で混合し、液体洗浄剤組成物を得た後、室温で１日間静置した後の液体洗浄剤組成物の状態を、室温下、目視により以下の評価基準に従って評価した。
〔評価基準〕
○：透明
△：わずかに白濁（沈殿無し）
×：白濁（沈殿有り）
【００２８】
（液体洗浄剤組成物のアミン臭の評価）
表１に示す組成で各成分を室温で混合し、液体洗浄剤組成物を得た後、室温で30日間静置した後の液体洗浄剤組成物のアミン臭を、室温下、2名の専門パネラーによる官能評価により以下の評価基準に従って評価した。
〔評価基準〕
◎：アミン臭全く無し
○：アミン臭ほとんど無し
△：アミン臭やや有り
×：アミン臭有り
【００２９】
（液体洗浄剤組成物のpH測定）
表１に示す組成で各成分を室温で混合し、液体洗浄剤組成物を得た後、室温で１日間静置した後の液体洗浄剤組成物のpHを、pH電極（9621-10D、堀場製作所製）を用い、25℃で測定した。
【００３０】
（液体洗浄剤組成物の洗浄性能の評価）
ＪＩＳ Ｋ３３６２：１９９８記載の衣料用合成洗剤の洗浄力評価方法に従って液体洗浄剤組成物の洗浄性能を評価した。すなわち、液体洗浄剤組成物と洗浄力判定用指標洗剤との洗浄力を比較し、以下の評価基準に従って液体洗浄剤組成物の洗浄性能を評価した。なお、液体洗浄剤組成物の使用濃度は20 g/30 Lとした。
〔評価基準〕
○：指標洗剤と同等以上
△：指標洗剤よりわずかに劣る
×：指標洗剤より劣る
【００３１】
製造例１
シリカ（ヒュームドシリカ、アルドリッチ社製）8 gに水77 gを加え、さらに25 %テトラメチルアンモニウムヒドロキシド溶液（和光純薬製）48 gを加え、室温(25℃)下で3日間攪拌し、溶解させることにより、テトラメチルアンモニウムシリケート（TMA-Si）溶液を得た。得られたTMA-Si溶液を、濃硫酸を入れたデシケータ中で約１ヶ月間かけてゆっくり乾燥することによりTMA-Si結晶〔化学組成は[（CH3）4N]2O・2SiO2に相当〕を得た。29Si-NMRスペクトルのP/Aの割合から求められたQ3に帰属されるSi原子の割合は100％であった。得られた結晶中のTMA-Siは、SiO2換算で21重量％であった。
【００３２】
製造例２
シリカ（ヒュームドシリカ、アルドリッチ社製）2 gに水19 gを加え、さらに25 %テトラメチルアンモニウムヒドロキシド溶液（和光純薬社製）12 gを加え、45℃で1日間攪拌し、溶解させることにより、TMA-Si溶液を得た〔無水物の化学組成は[（CH3）4N]2O・2SiO2に相当〕。29Si-NMRスペクトルのP/Aの割合から求められたQ3に帰属されるSi原子の割合は57％であった。得られた溶液中のTMA-Siは、SiO2換算で6重量％であった。
【００３３】
製造例３
シリカ（ヒュームドシリカ、アルドリッチ社製）2 gに水25 gを加え、さらに25 %テトラメチルアンモニウムヒドロキシド溶液（和光純薬社製）6.1gを加え、45℃で1日間攪拌し、溶解させることにより、TMA-Si溶液を得た〔無水物の化学組成は[（CH3）4N]2O・4SiO2に相当〕。29Si-NMRスペクトルのP/Aの割合から求められたQ3に帰属されるSi原子の割合は53％であった。得られた溶液中のTMA-Siは、SiO2換算で6重量％であった。
【００３４】
製造例４
シリカ（ヒュームドシリカ、アルドリッチ社製）2 gに水14gを加え、さらに25 %テトラメチルアンモニウムヒドロキシド溶液（和光純薬社製）6.1gを加え、45℃で1日間攪拌し、溶解させることにより、TMA-Si溶液を得た〔無水物の化学組成は[（CH3）4N]2O・4SiO2に相当〕。29Si-NMRスペクトルのP/Aの割合から求められたQ3に帰属されるSi原子の割合は53％であった。得られた溶液中のTMA-Siは、SiO2換算で9重量％であった。
【００３５】
製造例５
シリカ（ヒュームドシリカ、アルドリッチ社製）2 gに水20gを加え、さらに25 %テトラメチルアンモニウムヒドロキシド溶液（和光純薬社製）42.4gを加え、45℃で1日間攪拌し、溶解させることにより、TMA-Si溶液を得た〔無水物の化学組成は[（CH3）4N]2O・10SiO2に相当〕。
【００３６】
製造例６
シリカ（ヒュームドシリカ、アルドリッチ社製）2 gに水28 gを加え、さらに48 %水酸化ナトリウム溶液2.8 gを加え、45℃で1日間攪拌し、溶解させることにより、ナトリウムシリケート（Na-Si）溶液を得た。全シグナルAの積分値に対する、化学シフト-94〜-102 ppm（TMS基準)にピークを持つシグナルPの積分値の割合は18%であった。得られた溶液中のNa-Siは、SiO2換算で6重量％であった。
【００３７】
実施例１
製造例１で得られたTMA-Si結晶をアルカリ剤として用い、表１に示す配合組成に従って各成分を室温で混合し、液体洗浄剤組成物を得た。アルカリ剤として使用したTMA-Si結晶の物性及び液体洗浄剤組成物の性能評価の結果を表１に併せて示す。
【００３８】
なお、表１において、活性剤Ａは、炭素数１０〜１４の直鎖第１級アルコールにエチレンオキサイド（ＥＯ）を平均６モル付加させた非イオン性界面活性剤を、活性剤Ｂは、炭素数１０〜１４の直鎖第１級アルコールにＥＯを平均３モル、ポリエチレンオキサイド（ＰＯ）を平均２モル、ＥＯを平均３モルの順にブロック付加させた非イオン性界面活性剤を、PHGは、ポリエチレングリコールモノフェニルエーテルを、PGは、プロピレングリコールを、LunacL55（商品名）は、花王株式会社製ヤシ油系脂肪酸（C10:C12:C14:C16:C18= 1:57:22:10:10、重量比）をそれぞれ表す。また、配合組成に示すアルカリ剤の「アクティブ換算」とは、アルカリ剤の無水物基準（R2O・xSiO2）での液体洗浄剤組成物に対する重量比を意味する。
【００３９】
実施例２
製造例２で得られたTMA-Si溶液をアルカリ剤として用い、表１に示す配合組成に従って各成分を室温で混合し、液体洗浄剤組成物を得た。アルカリ剤として使用したTMA-Si溶液の物性及び液体洗浄剤組成物の性能評価の結果を表１に併せて示す。
【００４０】
比較例１
製造例３で得られたTMA-Si溶液をアルカリ剤として用い、表１に示す配合組成に従って各成分を室温で混合し、液体洗浄剤組成物を得た。アルカリ剤として使用したTMA-Si溶液の物性及び液体洗浄剤組成物の性能評価の結果を表１に併せて示す。
【００４１】
比較例２
製造例４で得られたTMA-Si溶液をアルカリ剤として用い、表１に示す配合組成に従って各成分を室温で混合し、液体洗浄剤組成物を得た。アルカリ剤として使用したTMA-Si溶液の物性及び液体洗浄剤組成物の性能評価の結果を表１に併せて示す。
【００４２】
比較例３
製造例５で得られたTMA-Si溶液をアルカリ剤として用い、表１に示す配合組成に従って各成分を室温で混合し、液体洗浄剤組成物を得た。アルカリ剤として使用したTMA-Si溶液の物性及び液体洗浄剤組成物の性能評価の結果を表１に併せて示す。
【００４３】
比較例４
製造例６で得られたNa-Si溶液をアルカリ剤として用い、表１に示す配合組成に従って各成分を室温で混合し、液体洗浄剤組成物を得た。アルカリ剤として使用したNa-Si溶液の物性及び液体洗浄剤組成物の性能評価の結果を表１に併せて示す。
【００４４】
比較例５
有機アルカリ剤であるモノエタノールアミンをアルカリ剤として用い、表１に示す配合組成に従って各成分を室温で混合し、液体洗浄剤組成物を得た。アルカリ剤として使用したモノエタノールアミンの物性及び液体洗浄剤組成物の性能評価の結果を表１に併せて示す。
【００４５】
比較例６
アルカリ剤を用いずに、表１に示す配合組成に従って各成分を室温で混合し、液体洗浄剤組成物を得た。液体洗浄剤組成物の性能評価の結果を表１に併せて示す。
【００４６】
【表１】
2005162946.tif 000002
【００４７】
表１より、実施例１と２の液体洗浄剤組成物は、比較例１〜６の液体洗浄剤組成物と異なり、アミン臭が少なく、濁りがなく透明であり、しかも洗浄性能にも優れることが分かる。
【産業上の利用可能性】
【００４８】
本発明によれば、種々の特性に優れた液体洗浄剤組成物を提供することができる。